(57)【要約】【課題】ダイヤモンドの購入者に、購入したダイヤモンド及びその販売者の双方に対する信頼感を与えることのできる、ダイヤモンドの履歴証明書を提供する。【解決手段】履歴を証明する対象としてのダイヤモンド１７がカットされた原石６の写真５Ａと、ダイヤモンド１７が原石６からカットされた形状を示すカット形状表示８Ａと、ダイヤモンド１７の識別用符号１１がダイヤモンド１７に付されている状態を示す識別用符号の写真１０Ａとが掲載されている。【選択図】図１
0003121263.tif 000002
【実用新案登録請求の範囲】
【請求項１】
履歴を証明する対象としてのダイヤモンドがカットされた原石の写真と、前記ダイヤモンドが前記原石からカットされた形状を示すカット形状表示と、前記ダイヤモンドの識別用符号が前記ダイヤモンドに付されている状態を示す識別用符号の写真とが掲載されていることを特徴とする、ダイヤモンドの履歴証明書。
【請求項２】
紙葉の一方の面に前記原石の写真、前記カット形状表示及び前記識別用符号の写真が、前記紙葉の他の一方の面に前記ダイヤモンドの鑑定結果が、それぞれ掲載されていることを特徴とする、請求項１に記載のダイヤモンドの履歴証明書。
【考案の詳細な説明】
【技術分野】
【０００１】
本考案はダイヤモンドの履歴証明書に関する。本考案において、「ダイヤモンドの履歴」とは、当該ダイヤモンドの由来即ち前記ダイヤモンドがカットされた（削り出された）原石、前記原石からカットされた過程、前記ダイヤモンドと前記原石との関係等に関する情報をいう。また、本考案において「履歴証明書」なる語は、本考案について記述する上での便宜的な命名にすぎないもので、実際の商取引の場で、例えば、履歴証明票、履歴証明書、履歴証明シート、履歴証明カード、履歴カード、履歴保証書、原石証明書等のように呼称を変えて表現される場合でも、本考案の構成要素を備える限り、本考案の履歴証明書と実質的に同一のものである。
【背景技術】
【０００２】
ダイヤモンドは、原石よりカットされた後、ルースの形で又は前記ルースを使用した指輪等の製品の形で販売されているが、従来の販売方法においては、そのダイヤモンドの履歴については何ら購入者に提供されていない。
【考案の開示】
【考案が解決しようとする課題】
【０００３】
そのため、前述のような従来の販売方法においては、ダイヤモンドの購入者は、購入した自分のダイヤモンドが、どのような履歴を有しているかを全く知ることができず、その結果、そのダイヤモンド自体の品質、価値等についての疑問を感じたり、更には、それらの疑問ゆえにダイヤモンドの販売者に対して不信感を抱いたりさえする、という問題があった。
【０００４】
本考案は、前述のような点に鑑みてなされたもので、第一に、ダイヤモンドの購入者に、購入したダイヤモンド及びその販売者の双方に対する信頼感を与えることのできる、ダイヤモンドの履歴証明書を提供することを目的とする。第二に、本考案は、前記第一の目的に加えて、前記購入者が、前記ダイヤモンドの鑑定結果についても確認することができるようにして前記信頼感を一層高めるようにした、ダイヤモンドの履歴証明書を提供することを目的とする。
【課題を解決するための手段】
【０００５】
前記の目的を達成するために、本考案は、次のように構成したことを特徴とする。即ち、請求項１に係る考案のダイヤモンドの履歴証明書は、履歴を証明する対象としてのダイヤモンドがカットされた原石の写真と、前記ダイヤモンドが前記原石からカットされた形状を示すカット形状表示と、前記ダイヤモンドの識別用符号が前記ダイヤモンドに付されている状態を示す識別用符号の写真とが掲載されていることを特徴とする。また、請求項２に係る考案のダイヤモンドの履歴証明書は、請求項１に記載のダイヤモンドの履歴証明書において、紙葉の一方の面に前記原石の写真、前記カット形状表示及び前記識別用符号の写真が、前記紙葉の他の一方の面に前記ダイヤモンドの鑑定結果が、それぞれ掲載されていることを特徴とする。
【考案の効果】
【０００６】
請求項１の考案によれば、前記の特徴を有する構成によって、当該ダイヤモンドの履歴を証明するものであるから、ダイヤモンドの購入者が、購入したダイヤモンドの原石についての履歴を確認して前記ダイヤモンドに対する信頼感、安心感を得ることができ、従って、前記ダイヤモンドの販売者に対する信頼感もまた高まって、以後の購入の際の安心感が得られることとなり、その結果、ダイヤモンドの販売増加に寄与するという効果を奏する。また、請求項２の考案によれば、前記の特徴を有する構成によって、ダイヤモンドの購入者が、購入したダイヤモンドについての鑑定結果を確認してその価値をも確認することができるので、前記請求項１の考案による効果がより一層高まるものである。
【考案を実施するための最良の形態】
【０００７】
以下、図面を参照しながら、本考案を実施するための最良の形態について説明する。この実施の形態においては、本考案に係るダイヤモンドの履歴証明書は、カードと呼ぶべき形状、寸法よりなる紙葉の一方の面にダイヤモンドの履歴証明事項が掲載されたダイヤモンドの履歴証明カードとして構成され、且つ、前記紙葉の他の一方の面に前記ダイヤモンドの鑑定結果が掲載された構成となっている。図１及び図２は、そのような履歴証明カードの表面側及び裏面側の各構成を概念的に示したものである。
【０００８】
図に示すように、履歴証明カード１は、紙葉２の表面側には当該ダイヤモンドの履歴を証明する要素及びその他の要素を包含させると共に、紙葉２の裏面側にはそのダイヤモンドの鑑定書が掲載されている。より詳しく述べると、前記の紙葉２は、例えば、官製はがき程度の厚さを有するセルロース紙が、縦１０ｃｍ×横１５ｃｍ程度の横長の長方形に裁断されたものからなっており、その表面２Ａには、最上部側より順次下方に向かって、履歴証明カード１を構成するタイトル表示３その他の要素が設けられている。
【０００９】
即ち、前記タイトル表示３は、この紙葉２の掲載内容によってダイヤモンドの履歴が証明されることを宣明するもので、例えば「Ｄｉａｍｏｎｄ  ｈｉｓｔｏｒｙ  Ｇｕａｒａｎｔｅｅ」との記載からなる語句によって構成されている。このタイトル表示３の下方には左右に並列させた、三つの表示部即ち原石写真表示部５、カット形状表示部８及び識別用符号写真表示部１０が設けられている。
【００１０】
原石写真表示部５は、履歴を証明する対象としてのダイヤモンドがカットされた原石についての情報を写真によって提供するもので、紙葉２の最左側の位置に設けられている。原石写真表示部５は、原石６を撮影した写真５Ａが掲載される。この写真５Ａは、例えば光学カメラによってカラーフィルムで撮影され印画紙に焼き付けられた銀塩写真が紙葉２に貼り付けられた形で掲載されている（写真に関しては、後述する識別用符号写真表示部における写真、鑑定書における写真についても同様である）。そして、写真５Ａの内容である原石６の部分には、そこからカットされた前記ダイヤモンドのイメージ形状を示す線図６Ａが書き込まれている。線図６Ａは、原石６と識別しやすいように原石６と異なる色で描かれている。前記写真５Ａの上方及び下方には、例えば「ダイヤモンド原石」との記載からなる、写真５Ａの表題５Ｂ、及び、例えば「上記の原石から裏面記載のダイヤモンドがカットされた事を証明します。」との記載からなる証明文５Ｃをそれぞれ備えている。この証明文５Ｃ中の「裏面記載のダイヤモンド」とは、紙葉２の裏面２Ｂに設けられた、後述する鑑定書に記載されたダイヤモンドを指している。
【００１１】
前記カット形状表示部８は、前記ダイヤモンドが前記原石６からカットされた形状即ちカットフォーメーションを示すためのもので、前記原石写真表示部５の右方即ち紙葉２の中央部に設けられている。このカット形状表示部８の要素として、前記カットされた形状を示すカット形状表示８Ａが設けられている。このカット形状表示８Ａは、原石６を表した図形６Ｂと、図形６Ｂ内に描かれたカット形状図６Ｃとからなっている。カット形状図６Ｃは、例えばコンピュータ・ソフトのダイヤモンド・アナライザによる計算によって描かれており、且つ、原石６の図形６Ｂに対して識別しやすいような色彩としてある。また、カット形状表示部８の要素として、カット形状表示８Ａの上方及び下方には、それぞれ、例えば「カットフォーメーション」との記載からなる、カット形状表示８Ａの表題８Ｂ、及び、例えば「コンピューターにより最大サイズに、かつ精密にカットする様設計しました。」との記載からなる、カット過程の説明文８Ｃが設けられている。
【００１２】
前記の識別用符号写真表示部１０は、ダイヤモンド１７に付された識別用符号を示すためのもので、前記カット形状表示部８の右方即ち紙葉２の最右側に設けられている。この識別用符号は当該ダイヤモンドについてのみ付与される固有のもので、他のダイヤモンドに付される識別用符号とは重複しないように設定される。この識別用符号としては、この実施の形態の場合、例えば、後述する鑑定書において示されているシリアルナンバー１１と同一で、英文字及び数字列を組み合わせて構成されたシリアルナンバー１１が使用される。
【００１３】
このような識別用符号表示部１０の要素として、前述のようにダイヤモンドのガードルに刻印されているシリアルナンバー１１を確認できるように拡大して撮影されたシリアルナンバー１１の写真１０Ａが掲載されている。また、識別用符号写真表示部１０の要素として、写真１０Ａの上方及び下方には、それぞれ、例えば「シリアルＮｏ．（ガードル）」との記載からなる、写真１０Ａの表題１０Ｂ、及び、例えば「世界に１つしかないシリアルＮｏ．を刻印しました。」との記載からなる、シリアルナンバー１１の説明文１０Ｃが設けられている。
【００１４】
これらの三つの表示部５，８，１０の下方には主証明文１３が設けられている。主証明文１３は、この履歴証明カード１の趣旨即ち前記ダイヤモンドの履歴についての証明を示すためのものであり、例えば「厳正なる管理の下、上記の原石から裏面記載のダイヤモンドをカットしたことを証明します。」との記載によって構成されている。そして、主証明文１３の下方には、販売者名表示１４が設けられている。これは当該ダイヤモンドの販売者を明示するためのもので、例えば、販売者の商号の記載からなっている。
【００１５】
一方、前述した履歴証明カード１には、その裏面側に当該ダイヤモンドの鑑定書が組み合わされており、図２に示すように、紙葉２の裏面２Ｂに、順次下方に向かって、鑑定書タイトル表示１６その他の要素が設けられている。即ち、鑑定書タイトル表示１６は、この裏面２Ｂがダイヤモンドの鑑定書であることを示すもので、例えば「Ｓｏｒｔｉｎｇ  Ｇｕａｒａｎｔｅｅ」なる文言の記載からなっている。
【００１６】
この鑑定書タイトル表示１６の下方には、ダイヤモンド１７を上方から撮影した写真１８が掲載されている。写真１８の下方には、「Ｓｅｒｉａｌ  Ｎｏ．」との記載からなるシリアルナンバー用項目名１９及びシリアルナンバー記載欄２０が設けられている。図２においては、シリアルナンバーの例として、前述のような英文字及び数字列を組み合わせて構成されたシリアルナンバー１１が記載されている。シリアルナンバー用項目名１９の下方には、当該ダイヤモンドについての鑑定結果表示部２２が設けられている。鑑定結果表示部２２には、例えば、カット種類名（例えば、Ｒｏｕｎｄ  Ｂｒｉｌｌｉａｎｔ  Ｃｕｔ）の記載欄２２Ａ、「Ｗｅｉｇｈｔ」（重量）、「Ｃｕｔ」（カットグレード）、「Ｃｏｌｏｒ」（カラーグレード）、「Ｃｌａｒｉｔｙ」（クラリティグレード）等の鑑定項目名２２Ｂ、及び、前記各鑑定項目名２２Ｂについての評価ランクの記載欄２２Ｃが設けられている。そして、鑑定結果表示部２２の下方には、当該ダイヤモンドの鑑定者を示す鑑定者名表示２４が設けられている。
【００１７】
このように構成された履歴証明カード１は、ダイヤモンドに添えてダイヤモンドの購入者に交付される。購入者は履歴証明カード１を参照することにより、購入したダイヤモンドについて、前記の原石写真表示部５における原石の写真５Ａからそのダイヤモンドがカットされた原石６がどのようなものであるか、前記カット形状表示部８に表示されたカット形状表示８Ａ及び説明文８Ｃによって原石６からどのような過程でカットされたか、そして、前記識別用符号写真表示部１０に掲載されたシリアルナンバー１１の写真１０Ａから前記ダイヤモンドに付与された固有のシリアルナンバー１１が、販売者名表示１４において記載された販売者によって、主証明文１３に記載されているように証明されていることを確認することができるので、そのダイヤモンド自体及び販売者に対する信頼感及び安心感を抱くことができる。
【００１８】
また、履歴証明カード１は、前述したように、紙葉２の裏面２Ｂに設けられた当該ダイヤモンドの鑑定書において鑑定結果が掲載されているから、ダイヤモンドの購入者は当該ダイヤモンドの前述の履歴に対する確認に基づく信頼感、安心感に加えて、鑑定書による当該ダイヤモンドの品質、等級等についても同時に確認することができ、従って、当該ダイヤモンド及び販売者に対する信頼感、安心感をより高く抱くことができるうえ、保管等の管理をするにも極めて便利である。
【００１９】
なお、前記実施の形態において、履歴証明カード１についての構成例を示したが、本考案はそのような構成例に限定されるものではなく、例えば、前述した紙葉２の表面側の内容と裏面側の内容とを横長又は縦長の紙葉の同一面に並べるように配置して裏返すことなく両方の内容を見ることができるようにし、又は、そのように配置し且つ前記の表面側の内容と裏面側の内容との間に折り目を設けて二つ折りの形態にすることもできる。また、各写真５Ａ，１０Ａ，１８は、前述のような銀塩写真に限定されるものではなく、例えば、立体複写機によって複写されたもの、ディジタルカメラによって撮影されパソコンのプリンタによって印刷されたものを使用して掲載してもよい。また、各写真は、紙葉２とは別に制作されたものを紙葉２に貼り付ける前述の方法に代えて、その全部又は一部を、例えば当該ダイヤモンドに関する原石及びダイヤモンドの写真のデータが登録されたコンピュータシステムにおけるプリンタ出力を利用して紙葉２に直接印刷することもできる。更に、前記識別用符号としては、前述した英文字と数字との組み合わせではなく、例えば、カナ、英文字以外の欧文字を適宜組み合わせてシリアルナンバーその他の識別用符号を構成することもできる。そして、前述のようなコンピュータシステム内に更にダイヤモンド及びその原石に関するその他の情報並びに前述の識別用符号に関する情報を登録、内蔵するとともに、履歴証明カード１とコンピュータシステムとを連動させることにより、ダイヤモンドの販売者と購入者との情報の共有ができ、従って、ダイヤモンドの販売前から販売後までのサービスをより向上させることもできる。
【図面の簡単な説明】
【００２０】
【図１】本考案の実施の形態に係る、ダイヤモンドの履歴証明カードを概念的に示す正面図である。
【図２】前記のダイヤモンドの履歴証明カードを概念的に示す背面図である。
【符号の説明】
【００２１】
５Ａ，１０Ａ  写真
６            原石
８Ａ          カット形状表示
１１          シリアルナンバー
１７          ダイヤモンド
【図１】
0003121263.tif 000003
【図２】
0003121263.tif 000004
【手続補正書】
【提出日】平成18年1月23日(2006.1.23)
【手続補正１】
【補正対象書類名】実用新案登録請求の範囲
【補正対象項目名】全文
【補正方法】変更
【補正の内容】
【実用新案登録請求の範囲】
【請求項１】
紙葉に、履歴を証明する対象としてのダイヤモンドがカットされた原石の写真が掲載された原石写真表示部と、前記ダイヤモンドが前記原石からカットされた形状を示すカット形状表示が設けられたカット形状表示部と、前記ダイヤモンドの識別用符号が前記ダイヤモンドに付されている状態を示す識別用符号の写真が掲載された識別用符号写真表示部とが設けられていることを特徴とする、ダイヤモンドの履歴証明書。
【請求項２】
紙葉の一方の面に前記原石写真表示部、前記カット形状表示部及び前記識別用符号写真表示部が、前記紙葉の他の一方の面に前記ダイヤモンドの鑑定結果表示部が、それぞれ設けられていることを特徴とする、請求項１に記載のダイヤモンドの履歴証明書。
【手続補正２】
【補正対象書類名】明細書
【補正対象項目名】０００５
【補正方法】変更
【補正の内容】
【０００５】
前記の目的を達成するために、本考案は、次のように構成したことを特徴とする。即ち、請求項１に係る考案のダイヤモンドの履歴証明書は、紙葉に、履歴を証明する対象としてのダイヤモンドがカットされた原石の写真が掲載された原石写真表示部と、前記ダイヤモンドが前記原石からカットされた形状を示すカット形状表示が設けられたカット形状表示部と、前記ダイヤモンドの識別用符号が前記ダイヤモンドに付されている状態を示す識別用符号の写真が掲載された識別用符号写真表示部とが設けられていることを特徴とする。また、請求項２に係る考案のダイヤモンドの履歴証明書は、請求項１に記載のダイヤモンドの履歴証明書において、紙葉の一方の面に前記原石写真表示部、前記カット形状表示部及び前記識別用符号写真表示部が、前記紙葉の他の一方の面に前記ダイヤモンドの鑑定結果表示部が、それぞれ設けられていることを特徴とする。
【手続補正３】
【補正対象書類名】明細書
【補正対象項目名】００２１
【補正方法】変更
【補正の内容】
【００２１】
２ 紙葉
５ 原石写真表示部
５Ａ，１０Ａ  写真
６            原石
８ カット形状表示部
８Ａ          カット形状表示
１０ 識別用符号写真表示部
１１          シリアルナンバー
１７          ダイヤモンド